(57)【要約】【課題】公知の携帯電話は心臓に悪く、取り出しに時間がかかり、片手しか使えない。また、公知の本発明者による腕電話は手甲に電話器をつけるので手を通常的に使うには不自由さがあった。また、その装着構造が複雑でファッション性に乏しく、特に女性にとっては使用しにくい欠点があった。【解決手段】本発明による腕携帯電話は、腕に携帯電話を装着して携帯し且つ前記装着携帯状態で携帯電話機能を果たす。また、携帯電話の装着携帯状態での携帯機能実行中に、送話口／画面部分とがほぼ直角になり得るので画面を見易く電話もかけ易い。さらに、本発明による腕携帯電話は、腕に嵌めるバンドで手に固定しても両手が自由に使える。【選択図】図１０
2009268041.tif 000002
【特許請求の範囲】
【請求項１】
手甲ではなく腕に携帯電話を装着し、両手が自由に使えるようようにし、そのため自由に手首を曲がりうるようにし、且つ前記装着携帯状態で電話応答しうることを特徴とする腕携帯電話装置。
【発明の詳細な説明】
【技術分野】
【０００１】本発明は腕に携帯する腕携帯電話に関する。
【背景技術】
【０００２】本発明は、本発明者が先に出願した「腕電話」（特開平９−１３０４６１号公報）を更に改良発展させた新しい発明である。
【発明の開示】
【発明が解決しようとする課題】
【０００３】公知の携帯電話は心臓に悪く、取り出しに時間がかかり、片手しか使えない。また、公知の本発明者による腕電話は手甲に電話器をつけるので手を通常的に使うには不自由さがあった。また、その装着構造が複雑でファッション性に乏しく、特に女性にとっては使用しにくい欠点があった。
この公知の腕電話は、特開平９−１３０４６１号公報の如く、携帯電話を包み込むケースの中に携帯電話を入れ、且つ全体を腕ではない「手甲」にのせるものであった。すなわち、図１、図２および図３の如く、携帯ケース７の一端をバンド２０で手首１５に固定し、他端を指通し２１を通して中指に固定し手の甲３０に乗せて使用するため、手の甲３０に携帯電話器１の重さによる疲れを感じるとともにその手を自由に使えない不便さがあった。また、携帯電話器１をバンド２０と指通し２１を使用して手の甲３０に載せて装着する構造、および図４の実施例における箱状カバー２４を曲げ軸２３を中心にしてベルクロファスナ２２で止める構造、および図５の実施例における携帯電話器１の本体下方両側にコの字状の孔付耳２５を設けてベルト２６で固定する構造、および図６の実施例における携帯ケース７の手前下方両側に突片１７を設けてこれを図４の携帯電話器１の手前下方両側溝１４に挿入し且つ先端方向をベルト２８によりボタン２９で止める構造は、いずれも構造と装着が複雑でコストアップとなり、且つファッション性に乏しく、特に女性にとっては使用しにくい欠点があった。
【課題を解決するための手段】
【０００４】本発明による腕携帯電話装置は、手甲ではなく腕に携帯電話を装着して携帯し、自由に両手が使え、そのため手首が自由に折り曲がり得るように、且つ前記装着携帯状態で携帯電話機能を成すことであり、第２は携帯電話の前記装着携帯状態の前記携帯機能実行中において、送話口／画面部分がほぼ直角になるようにし得ることである。
更に、本発明による腕用携帯電話装置は、第３に、腕に嵌める伸縮性のあるリストバンドと携帯電話をその下部本体の両側面を側面長手方向全体で保持するホルダとを備え前記リストバンドと前記ホルダとを一体化する。第４に、前記ホルダの長手方向の一方に携帯電話の縦滑りを防止するストッパを備える。第５に、前記ホルダの両側面を側面長手方向に部分的に設けた爪状体を形成する。第６に、前記ホルダの両側面を長手方向に設けたバネ性素材で略Ｓ字形の爪状に形成する。第７に、前記リストバンドが可撓性のある幅広の腕輪で構成される。第８に、前記リストバンドが腕時計タイプの幅広のリストベルトで構成される。第９に、前記リストバンドよりは幅狭のリストバンドを前記ホルダの長手方向の両端に各々設ける。第１０に、前記幅広の腕輪よりは幅狭の腕輪を前記ホルダの長手方向の両端に各々設ける。第１１に、前記幅狭の腕輪が各々の先端部分に固定用のベルクロファスナが付いたリストベルトで構成する。第１２に、前記リストバンドと前記リストベルトおよび腕輪にファッション模様が施されている。第１３に、前記携帯電話と前記ホルダとの間に電磁遮蔽板を介在させる。第１４に、前記携帯電話が携帯端末である。
【発明の効果】
【０００５】  本発明による第１の効果は、携帯電話を心臓から一番遠く離れた腕（特に右）に装着するので、携帯電話からの心臓やペースメーカ等への電磁波等による影響を軽減することができる。
本発明による第２の効果は、携帯電話を腕に装着するので、マナーモードの微弱な振動でも着信を判別できるので、相手からの電話を切らすことなく、且つ迅速に応答でき、女性の場合ハンドバックを探している間に相手が切れることがなくなり、さらに、バイブレータの駆動電流を少なくでき、バッテリの消費を軽減できる。
本発明による第３の効果は、携帯電話を腕に装着し、その腕に装着した状態のままで携帯電話の機能を成すことができるので、携帯電話をホルダーから着脱する手間が省ける。
本発明による第４の効果は、携帯電話を腕に装着するので、その腕に装着した状態のままでその腕による手作業が可能である。
本発明による第５の効果は、携帯電話とホルダとの間に電磁遮蔽板を介在させることにより、左手首に嵌めたとしても、携帯電話からの電磁波の飛来を最小限に軽減することが出来る。
本発明による第６の効果は、携帯電話を腕に装着するので、リストバンドや腕輪あるいはリストベルトにファッション性を持たせることができるため、女性でも手軽に装着することができる。
本発明による第７の効果は、本発明の携帯ホルダに携帯電話以外の携帯端末を装着できるので、腕に装着した状態のまま携帯端末の通常の機能操作を成すことができる。
【発明を実施するための最良の形態】
【０００６】本発明の最良の形態は、第１に、携帯電話を心臓から離れた腕に装着し、その腕に装着した状態のままで携帯電話の機能を成すことができる。
第２に、携帯電話を携帯ホルダへ収容し、腕への装着は、携帯ホルダと一体化させたリストバンドや腕輪あるいはリストベルトによるものである。
第３に、携帯電話は携帯ホルダを腕に装着したままの状態で携帯ホルダとの間での着脱が可能な構造である。
第４に、携帯電話と携帯ホルダとの間に電磁遮蔽板を備えて、携帯電話からの電磁波の飛来を最小限に軽減する。
第５に、本発明の携帯ホルダに携帯電話以外の携帯端末を装着して、腕に装着した状態のまま携帯端末の通常の機能操作を行うことができる。
【実施例】
【０００７】次に、本発明の実施例について、図面を参照して説明する。
先ず、本発明の第１の実施例を示す図１の如く、携帯電話の保持部１１１を備えるホルダ１１と、ホルダ１１に３〜４個の平ネジ１３で固定して一体化し腕に装着しうる伸縮性のあるリストバンド１２で構成される。このリストバンド１２は、スポーツをする時の腕部分の汗止めのために使用するサポータとほぼ同様である。ホルダ１１とリストバンド１２とは、互いをネジ止めにより取り付け固定し一体化してある。リストバンド１２の伸縮性を利用して手および手首を通して手首に近い部分の腕に装着する。
図２は図１における上面図であり、図３は、図１におけるａ−ｂ線上における断面図であり、図４は図３の点線部分の拡大図である。ホルダ１１とリストバンド１２とは、平ネジ１３およびナット１５によりワッシャ１４を介して結合され一体化される。ホルダ１１の上面は皿削りして平ネジの頭が出ないように沈ませ、リストバンド１２の下面に先ずワッシャを、次に平ネジ１３の端末をカシメ又は薄いナット１５で接着する。
図５は、図１のホルダ１１に携帯電話２００を結合した状態を示す。携帯電話２００の本体下部にホルダ１１の両側にある多少内側に湾曲させた保持部１１１により圧着させて電話器が外れるのを防ぐ。
尚、図１において、ホルダ１１の幅方向の中央に点線で引かれた折り曲げ線１１０は、ホルダ１１を点線１１０を基点として内側あるいは外側に微弱に曲げることにより、携帯電話の微弱な幅の違いや厚さの違いを調整するためのものである。以下の実施例においても同様である。
第２の実施例である図６は、ストッパ２５１，２５２を付けたもので、このストッパ２５１，２５２は、図９の上面図に示すように、携帯電話２００が足許に落ちないようにするためのもので、腕にリストバンドを装着する方向の手先側に設ける。そのため、この実施例の場合、携帯電話のホルダ２１への挿入は、図６、図９のＹ方向から行う。ストッパを２５１，２５２の２つにしたのは、ホルダ２１のベースのほぼ真ん中の折り曲げ線２１０からホルダ２１のベースを折り曲げて保持部２１１の圧迫度を調整し不適合サイズの電話器でも適合させるためである。
第３の実施例である図１０は、ホルダ３１のホルダ爪３１１，３１２，３１３は端を外側にした略Ｓ字形を形成する複数の爪により構成したもので、ストッパ３５１，３５２も同様に外側に略Ｓ字形の爪を形成する。
これらのホルダ爪３１１，３１２，３１３およびストッパ３５１，３５２をバネ性の素材で形成することにより、携帯電話を上方向Ｚから押し込む。その状態が図１１であり、図１１の点線部分を拡大したのが図１２である。ホルダ爪３１１〜３１３をかかる構造にする事により、携帯電話の下部本体２０８はホルダ爪３１１〜３１３のバネ圧により固定される。従って、この第３の実施例は、Ｓ字形に折り曲げる凸点を低くすれば、薄型の携帯電話にも容易に適用可能である。この薄型携帯電話に対応させた第１１の実施例が図１１，図１２に対応する図３４である。この図３４の拡大図におけるＳ字形の凸点のホルダベースからの高さｈは、図１２における凸点の高さＨに比べ、より低く設けられる。なお、ホルダ爪３１１〜３１３は、かかる爪状にすることにより手で内側あるいは外側に狭くしたり広くしたりすることで携帯電話本体の幅の違いを簡単に調整できることができる。
第４の実施例である図１３は、第２の実施例である図６のホルダの保持部を、図６と同様に内側に多少湾曲させた複数のホルダ爪４１１，４１２，４１３で形成したもので、その他は第２の実施例と同じである。
なお、ホルダ爪４１１〜４１３は、手で内側あるいは外側に狭くしたり広くしたりすることで携帯電話本体の幅の違いを簡単に調整できることは、第３の実施例における図１０の場合と同様である。
第５の実施例である図１４は、第１の実施例である図１のリストグリップ１２をそれよりは幅狭の２つのリストグリップ５２で構成したもので、１つは長手方向の一端へ、もう１つは他端に取り付けてホルダ５１と一体化させる。こうする事により、幅広のリストグリップ１２を１つで構成するよりは、幅狭のリストグリップ５２を２つで構成する方が腕を幅広く包まず美的で腕の蒸れも少なくて済む。他は、第１の実施例の場合と同じである。
第６の実施例である図１７は、リストベルト６２１，６２２で構成するもので、２個のネジ６３によりホルダ６１と結合して一体化し、腕５０２への装着は時計と同様にリストベルト６２１の止め穴６９とリストベルト６２２の止め金６８とにより行なう。星柄６０は、ファッション性をもたせるための模様の例であり、女性でも違和感無く装着できる。
尚、第１〜第５の実施例におけるリストグリップについても、同様の模様等を付してファッション性を持たせてもよい。
第７の実施例である図２０は、第１の実施例である図１のリストグリップ１２の代わりに、それとほぼ同幅のブレスレットタイプの腕輪７２をホルダ７１に取り付け一体化したものである。ブレスレットタイプなので腕との着脱は横に引き抜いて容易に行うことができ、且つ花柄７０等の模様を付せば、よりファッショナブルに腕に装着することができるので、女性でも違和感無く装着が可能となる。
第８の実施例である図２３は、第５の実施例の図１４の場合と同様に、第７の実施例である図２０における幅広の１個の腕輪７２を幅狭の２個の腕輪８２１，８２２で構成したもので、第５の実施例の場合と同様にそれらの腕輪８２１，８２２をホルダ８１の長手方向の両端に取り付け一体化する。
第９の実施例である図２６は、第８の実施例の図２３および図２４における幅狭の腕輪８２１，８２２をベルクロファスナ９９１，９９２を付したリストベルト９２１，９２２に代えたもので、腕への装着はこのベルクロファスナ９９１，９９２同士を押し合わせることにより行う。星柄９０の模様を付する目的も、第６〜第８の実施例の場合と同様である。
第１０の実施例である図２９は、第１の実施例である図１あるいは図２において、ホルダ１１の上か下に電磁波遮蔽板１１０を設けたもので、この電磁波遮蔽板を携帯電話とそのホルダとの間に介在させることは他の第２〜第９の実施例においても同様に可能である。また、ホルダ自身の材質を電磁波遮蔽材としてもよい。
このように、携帯電話とホルダとの間に電磁遮蔽板を介在させることにより、携帯電話からの電磁波の飛来を軽減できるので、身体への影響、特に心臓のペースメーカを装着する対象者への電磁波の負荷を削減する事ができる。
第１２の実施例である図３５は、携帯電話２００をウレタンベルト８０２−１，８０２−２によりリストバンド８０１と結合して腕に装着するもので、図３６は携帯電話２００を閉じた状態でリストバンド８０１と結合した場合の側面図である。図３７は、携帯電話２００とリストバンド８０１とを結合するための取付け具であり、ウレタンベルト８０２−１，８０２−２を収容するベルトホルダ８０３−１，８０３−２と、一端がベルトホルダ８０３−１に取付け固定されベルクロファスナ８０６が付された他端がベルトホルダ８０３−２の取付け穴を通して折返され中央付近でベルクロファスナ８０５と結合するホルダベルト８０４とから構成される。ウレタンベルト８０２−１，８０２−２の携帯電話への長手方向への取付け位置は、ベルクロファスナ８０５、８０６の結合位置をずらす事により調整可能である。また、ウレタンベルト８０２−１，８０２−２は伸縮性があり且つ丈夫なので、携帯電話下部本体２０８の厚さの違いにも容易に対応可能である。このように、携帯電話の本体下部２０８をウレタンベルト８０２−１，８０２−２で取付けると携帯電話の両サイドが隠れることがないので、両サイドに設けられている拡張等機能部が携帯電話を装着した状態で、そのまま使える。
第１３の実施例である図３８は、リストバンド９０１と基板９０２とを４つの平ネジ９０３で結合したものの基板９０２の裏側に両サイドが略Ｌ字型に折り曲げられたバネ性の針金枠９０４を例えば溶接で取付けたものである。
針金枠９０４の両サイドに付けられたチューブ９０５−１，９０５−２は、この枠内に携帯電話を保持したときに携帯電話の側面に接する部分に取付けたゴム製のもので、携帯電話を保持するときの保持性を良くするためのものである。
また、基板９０２の長手方向の両端に例えば溶接付した板バネ９０７−１，９０７−２は、携帯電話の下部本体２０８の厚みの違いを調整するためのもので、厚みが厚い場合は上から板バネを押すようにして嵌めるようにする。
図３９は、図３８の携帯ホルダに携帯電話２００を嵌めた状態を示し、この状態で腕に装着される。
この実施例においても、携帯電話の本体下部２０８を針金枠９０４で固定するため、携帯電話の両サイドが隠れることがないので、両サイドに設けられている拡張等機能部が携帯電話を装着した状態で、そのまま使える。
第１４の実施例である図４０〜図４３は、図４０に示すように基板７２０の表面に携帯電話の厚みの違いを調整するための板バネ７２３−１，７２３−２を取り付け、裏面にはリストベルト７２４を通すベルト通し棒７２５−１，７２５−２とホルダ棒７２１−１，７２１−２を通す４つのホルダ棒固定足７２６−１〜７２６−４を例えば溶接付けで取付ける。ホルダ棒７２１−１の両端はホルダ棒固定足７２６−１と７２６−３を通した後カギ状に折り曲げ、同様にホルダ棒７２１−２の両端はホルダ棒固定足７２６−２と７２６−４を通した後カギ状に折り曲げられる。そして、ホルダ棒７２１−１と７２１−２とはカギ状に折り曲げられたところでバネリング７２７−１と７２７−２とで結合される。このバネリング７２７−１，７２７−２の伸び縮みによりホルダ棒７２１−１と７２１−２との間に嵌め込まれる携帯電話の幅の違いを調整する。携帯電話の厚みの違いの調整は、第１２の実施例における図３８，図３９の場合と同様、板バネ７２３−１，７２３−２により行う。補助ベルト７２９は、リストベルト７２４がベルト通し棒７２５−１，２からずれ落ちないようにするためのもので、リストベルト７２４とは例えばベルクロファスナ７２８で結合する。
第１５の実施例である図４４は、携帯電話のホルダ部分を針金のみで形成したもので、チューブ７３３−１，２を被せたホルダ棒７３１−１，２と，湾曲したバネ棒７３０−１，２と、リストベルト７３４を通すベルト通し棒７３２−１，２とから構成される。ホルダ棒７３１−１，２とチューブ７３３−１，２の機能は、第１３の実施例における図３８，図３９の場合と同じである。バネ棒７３０−１，２は、第１３の実施例における図３８の板バネ９０７−１，２および第１４の実施例における図４０の板バネ９０７−１，２に代わるもので、バネ性の湾曲部分の湾曲度合いが変わることにより、携帯電話の厚みの違いを調整するものである。
第１６の実施例である図４５は、第１２の実施例である図３６，図３７の別の形態であり、ウレタンベルト７４１−１，２を切り欠き７４２−１〜４の部分で基板７４０の長手方向の両端で取り付け固定したものである。携帯電話は伸縮自在なウレタンベルト７４１−１，２で保持されるので、携帯電話の厚みや幅に違いは、すべてウレタンベルトの伸縮により調整できるのは、第１２の実施例の場合と同じである。
第１７の実施例である図４６〜図４８は、基板８５０の長手方向の両端にリストベルト８５３を通すスリット８５２−１，８５２−２を設け、さらに基板の長手方向の両端をウレタンベルト８５１−１，８５１−２を４つの切り欠き部分８５５−１〜４を通してウレタンベルトを保持する。リストベルト８５３は、図４７に示すようにスリット８５２−１，８５２−２を通したときにベルトが基板の下側になるようにし、ベルクロファスナ８５４−１，８５４−２を押し合わせて腕に装着する。腕に装着する前にウレタンベルト８５１−１，８５１−２により携帯電話を本体下部２０８部分で固定することは、第１２の実施例である図３５の場合と同様である。
第１８の実施例である図４９〜図５１は、第１７の実施例である図４６と同様に基板８６０にウレタンベルト８６１−１，８６１−２を取り付けた後、ベルクロファスナ８６４−１，８６４−２を付した取付ベルト８６３を４つの平ネジ８６２で取付固定したものである。
第１９の実施例である図５２〜図５４は、ホルダ棒８７１−１，８７１−２とバネ棒８７０−１，８７０−２とから成る１本の針金から形成された枠の両側のホルダ棒部分にリストベルト８７２−１，８７２−２を引っ掛けるように取付固定したものである。バネ棒８７０−１，８７０−２を湾曲させたのは、第１６の実施例における図４４の場合と同様である。
図５５〜図５８は腕携帯電話の装着状態を示すものである。この装着の状態で携帯電話２００をバイブレータのマナーモードに設定しておいても、着信があるとバイブレータの振動がリストベルト１２を通して直接腕５０２に伝わるので、すばやく着信を認識できるとともに、本体上部２０７の画面２０４部分を開いてその着信内容を腕に装着したままの状態で確認することができるとともに、その状態のまま図５６に示すように通話をしたり携帯電話を装着した反対側の手で、キー操作等を行うことも可能である。キー操作による時間のかかる複雑な作業が必要なときは、携帯電話をホルダから簡単に直ちに外すことができるので、単体の携帯端末と同様の操作を行うことも可能である。
以上説明したように、携帯電話を腕に装着すると、バイブレータの着信振動が腕に直接伝わるので、微弱な振動でも着信を感知することができるため、バイブレータの振動を予め小さく設定することによりバイブレータによる消費電流を節減することができ、携帯電話本体のバッテリの消耗を抑えることが可能である。また、待ち受け時には、図５５に示すように携帯電話２００は心臓５０８からＬの距離だけ離れるため、携帯電話が胸ポケットに収納されている場合のように、携帯電話から発せられる電磁波が直接心臓に届くようなことはないので、ペースメーカを装着しているような場合でも、それへの負荷は少なくて済む。
次に、図５４は、装着状態で手が上下大きな角度で自由に動かすことができ事を示し、右手による筆記業務や手作業を不自由なく行うことができる。本発明の特徴を説明する他の第１の図である。
また、以上の実施例における腕携帯電話は、携帯電話のみを装着の対象にして説明したが、例えば第２０の実施例である図５３に示すように、ホルダに開閉型の携帯端末３００を搭載しても、左腕に装着した状態のままで右手によりキー操作等による文字入力やデータ送受信等の作業を行うことも可能である。本発明の特徴を説明する他の第２の図である。
なお、本発明は携帯電話や端末器等用ホルダ単体でも、また携帯電話又は端末器等に腕取付具をつけた状態のものでも、いずれも本発明に含まれるものである。
【産業上の利用可能性】
【図面の簡単な説明】
【０００８】
【図１】本発明の実施例を示す斜視図である。
【図２】同実施例の上面図である。
【図３】同実施例の横断面図である。
【図４】同実施例の図３の点線部分における拡大図である。
【図５】同実施例の図１の携帯ホルダに携帯電話を搭載した腕携帯電話装置の正面図である。
【図６】本発明の第２の実施例を示す斜視図である。
【図７】同実施例の横断面図である。
【図８】同実施例の図６の携帯ホルダに携帯電話を搭載した腕携帯電話装置の横面図である。
【図９】同実施例の図６の携帯ホルダに携帯電話を搭載した腕携帯電話装置の上面図である。
【図１０】本発明の第３の実施例を示す斜視図である。
【図１１】同実施例の図１０の携帯ホルダに携帯電話を上から結合した腕携帯電話装置の横面図である。
【図１２】同実施例の図１１の点線部分における拡大図である。
【図１３】本発明の第４の実施例を示す斜視図である。
【図１４】本発明の第５の実施例を示す斜視図である。
【図１５】同実施例の側面図である。
【図１６】同実施例の横断面図である。
【図１７】本発明の第６の実施例を示す斜視図である。
【図１８】同実施例の右側面図および左側面図である。
【図１９】同実施例の横断面図である
【図２０】本発明の第７の実施例を示す斜視図である。
【図２１】同実施例の側面図である。
【図２２】同実施例の横断面図である。
【図２３】本発明の第８の実施例を示す斜視図である。
【図２４】同実施例の側面図である。
【図２５】同実施例の横断面図である。
【図２６】本発明の第９の実施例を示す斜視図である。
【図２７】同実施例の側面図である。
【図２８】同実施例の横断面図である。
【図２９】本発明の第１０の実施例を示す斜視図である。
【図３０】同実施例の上面図である。
【図３１】同実施例の横断面図である。
【図３２】同実施例の図３１の点線部分における拡大図である。
【図３３】同実施例の図２９の携帯ホルダに携帯電話を結合した腕携帯電話装置の正面図である。
【図３４】本発明の第１１の実施例を示す側面図である。
【図３５】本発明の第１２の実施例を示す斜視図である。
【図３６】同実施例のホルダ部分の上面図である。
【図３７】同実施例のホルダに携帯電話を保持した側面図である。
【図３８】本発明の第１３の実施例を示す斜視図である。
【図３９】同実施例のホルダに携帯電話を保持した正面図である。
【図４０】本発明の第１４の実施例を示す斜視図である。
【図４１】同実施例のホルダに携帯電話を保持した正面図である。
【図４２】同実施例のホルダ部分の裏面図である。
【図４３】同実施例の図４０における側面図である。
【図４４】本発明の第１５の実施例を示す斜視図である。
【図４５】本発明の第１６の実施例を示す斜視図である。
【図４６】本発明の第１７の実施例のホルダ部分の上面図である。
【図４７】同実施例のホルダ部分の側面図である。
【図４８】同実施例のホルダ部分の正面図である。
【図４９】本発明の第１８の実施例のホルダ部分の上面図である。
【図５０】同実施例のホルダ部分の側面図である。
【図５１】同実施例のホルダ部分の正面図である。
【図５２】本発明の第１９の実施例のホルダ枠部分の斜視図である。
【図５３】同実施例のホルダ部分に携帯電話を保持した正面図である。
【図５４】同実施例のホルダ部分の上面図である。
【図５５】本発明の第２０の実施例を示す斜視図である。
【図５６】本発明の腕携帯電話装置を腕に装着した場合の手首の可動範囲を示す図である。
【図５７】本発明の腕携帯電話装置を心臓から一番遠い腕に装着した図である。
【図５８】本発明の腕携帯電話装置の通話状態を示す図である。
【符号の説明】
【０００９】１１、２１、３１、４１、５１、６１、７１、８１、９１、１０１    ホルダ
１２、２２、３２、４２、１０２    リストバンド
１３、２３、３３、４３、５３、６３、７３、８３、９３、１０３    平ネジ
１４、２４、５４、６４、７４、８４、９４、１０４    ワッシャ
１５、２５、５５、６５、７５、８５、９５、１０５    ナット
６０、９０    星柄
６７    ベルト止め
６８    止め金
６９    止め穴
７２    腕輪
７０、８０    花柄
１１１、２１１、５１１、６１１、７１１、８１１、９１１、１０１１    保持部
１１０    電磁遮蔽板
２００    携帯電話
２０１    カメラレンズ
２０２    ヒンジ
２０３    充電端子
２０４    画面
２０５    受話口
２０６    送話口
２０７    上部本体
２０８    下部本体
２５１、２５２、３５１、３５２、４５１、４５２    ストッパ
３００    携帯端末
３０１    表示画面
３０２    操作面
３０３    ヒンジ
３１１、３１２、３１３、４１１、４１２、４１３    ホルダ爪
５０１    右手
５０２、５０３    右腕
５０４、５０５    左腕
５０６    左手
５０７    左耳
５０８    心臓
５２１、５２２    リストバンド
６００    鉛筆
６２１、６２２    リストベルト
７００    薄型携帯電話
７０２    リストバンド
７０３    充電端子
７１０    ホルダ
７２０，７４０    基板
７２１−１，２、７３１−１，２    ホルダ棒
７２２−１，２、７３３−１，２    チューブ
７２３−１、７２３−２    板バネ
７２４、７３４、７４５    リストベルト
７２５−１，２、７３２−１，２    ベルト通し棒
７２６−１〜４    ホルダ棒固定足
７２７−１，２    バネリング
７２８−１，２、７３６−１，２、７４６−１，２    ベルクロファスナ
７２９、７３５、７４７    補助ベルト
７３０−１，２    バネ棒
７４１−１，２    ウレタンベルト
７４２−１〜４    切り欠き
７４４−１，２、７４８−１，２    ベルト通し棒
７５１    ホルダ爪
８０１    リストバンド
８０２−１、８０２−２    ウレタンベルト
８０３−１、８０３−２    ベルトホルダ
８０４    ホルダベルト
８０５、８０６    ベルクロファスナ
８２１、８２２    腕輪
８５０、８６０    基板
８５１−１，２、８６１−１，２    ウレタンベルト
８５２−１，２    スリット
８５３、８６３    取付ベルト
８５４−１，２、８６４−１，２    ベルクロファスナ
８５５−１〜４    切り欠き
８８６２    平ネジ
８６５    ナット
８６５−１〜４    切り欠き
８７０−１，２    バネ棒
８７１−１，２    ホルダ棒
８７２−１，２    リストベルト
８７３−１，２    ベルクロファスナ
９０１    リストバンド
９０２    基板
９０３    平ネジ
９０４    針金枠
９０５−１，９０５−２    チューブ
９２１、９２２    リストベルト
９９１、９９２    ベルクロファスナ
１１０、２１０、３１０、４１０、５１０、６１０、７１０、８１０、９１０、１０２０    折り曲げ線
１０３０    手首の可動範囲
【図１】
2009268041.tif 000003
【図２】
2009268041.tif 000004
【図３】
2009268041.tif 000005
【図４】
2009268041.tif 000006
【図５】
2009268041.tif 000007
【図６】
2009268041.tif 000008
【図７】
2009268041.tif 000009
【図８】
2009268041.tif 000010
【図９】
2009268041.tif 000011
【図１０】
2009268041.tif 000012
【図１１】
2009268041.tif 000013
【図１２】
2009268041.tif 000014
【図１３】
2009268041.tif 000015
【図１４】
2009268041.tif 000016
【図１５】
2009268041.tif 000017
【図１６】
2009268041.tif 000018
【図１７】
2009268041.tif 000019
【図１８】
2009268041.tif 000020
【図１９】
2009268041.tif 000021
【図２０】
2009268041.tif 000022
【図２１】
2009268041.tif 000023
【図２２】
2009268041.tif 000024
【図２３】
2009268041.tif 000025
【図２４】
2009268041.tif 000026
【図２５】
2009268041.tif 000027
【図２６】
2009268041.tif 000028
【図２７】
2009268041.tif 000029
【図２８】
2009268041.tif 000030
【図２９】
2009268041.tif 000031
【図３０】
2009268041.tif 000032
【図３１】
2009268041.tif 000033
【図３２】
2009268041.tif 000034
【図３３】
2009268041.tif 000035
【図３４】
2009268041.tif 000036
【図３５】
2009268041.tif 000037
【図３６】
2009268041.tif 000038
【図３７】
2009268041.tif 000039
【図３８】
2009268041.tif 000040
【図３９】
2009268041.tif 000041
【図４０】
2009268041.tif 000042
【図４１】
2009268041.tif 000043
【図４２】
2009268041.tif 000044
【図４３】
2009268041.tif 000045
【図４４】
2009268041.tif 000046
【図４５】
2009268041.tif 000047
【図４６】
2009268041.tif 000048
【図４７】
2009268041.tif 000049
【図４８】
2009268041.tif 000050
【図４９】
2009268041.tif 000051
【図５０】
2009268041.tif 000052
【図５１】
2009268041.tif 000053
【図５２】
2009268041.tif 000054
【図５３】
2009268041.tif 000055
【図５４】
2009268041.tif 000056
【図５５】
2009268041.tif 000057
【図５６】
2009268041.tif 000058
【図５７】
2009268041.tif 000059
【図５８】
2009268041.tif 000060